【手続補正書】
【提出日】平成17年5月27日(2005.5.27)
【手続補正１】
【補正対象書類名】明細書
【補正対象項目名】特許請求の範囲
【補正方法】変更
【補正の内容】
【特許請求の範囲】
【請求項１】
仕切プレートにより上室及び下室に仕切られたケーシングと、前記下室に配置され、かつ上端が前記仕切プレートの連通孔に接合されたチューブ状のフィルターエレメントとを備え、前記下室に導入された処理液が、前記フィルターエレメントの周壁部を透過してろ過された後、前記フィルターエレメント内及び前記連通孔を通って前記上室に導かれるようになされたろ過装置であって、
支持孔が設けられた中間支持プレートが、その支持孔内に前記フィルターエレメントの上下方向中間領域を挿通支持した状態で、前記ケーシングに支持されてなることを特徴とするろ過装置。
【請求項２】
前記フィルターエレメントの中間領域に、下方に向かうに従って次第に縮径するテーパ状外面を有する拡縮変形自在なテーパリングが外嵌状態に装着され、
前記テーパリングに対応する前記支持孔が、下方に向かうに従って縮径するテーパ状内面を有する皿孔によって構成され、
前記テーパリングが前記支持孔に挿通され、押付付勢手段によって、前記テーパリングが、前記フィルターエレメントの外面と前記支持孔の内面との間に圧入されてなる請求項１記載のろ過装置。
【請求項３】
前記テーパリングは、周方向に分割された複数個の分割片からなり、各分割片間における隙間の間隔が変化することによって、拡縮変形自在に構成されてなる請求項２記載のろ過装置。
【請求項４】
前記押付付勢手段が、前記テーパリングと前記仕切プレートとの間に設けられた圧縮コイルばねにより構成されてなる請求項２又は３記載のろ過装置。
【請求項５】
前記フィルターエレメントが、並列配置に複数設けられてなる請求項１ないし４いずれかに記載のろ過装置。
【請求項６】
前記中間支持プレートが、上下方向に間隔をおいて複数設けられてなる請求項１ないし５のいずれかに記載のろ過装置。
【請求項７】
前記仕切プレートの前記連通孔に連結金具が嵌着され、その連結金具に前記フィルターエレメントの上端が接合され、前記フィルターエレメントが前記連結金具を介して前記連通孔に連通されてなる請求項１ないし６のいずれかに記載のろ過装置。
【請求項８】
前記下室の下部に、水平方向に沿ってボトム支持プレートが配置され、そのボトム支持プレートによって、前記フィルターエレメントの下端が前記ケーシングに支持されてなる請求項１ないし７のいずれかに記載のろ過装置。
【請求項９】
支持軸の上端が、前記仕切プレートの外周縁部に固定されるとともに、下端が前記ボトム支持プレートの外周縁部に固定されることにより、前記ボトム支持プレートが、前記支持軸を介して前記仕切プレートに吊持されてなる請求項８記載のろ過装置。
【請求項１０】
前記中間支持プレートの外周縁部が、前記支持軸に固定されることにより、前記中間支持プレートが、前記支持軸を介して前記仕切プレートに支持されてなる請求項９記載のろ過装置。
【請求項１１】
前記フィルターエレメントの下端が、閉塞金具によって閉塞され、その閉塞金具が閉塞付勢手段によって閉塞方向に付勢されてなる請求項８ないし１０のいずれかに記載のろ過装置。
【請求項１２】
前記閉塞付勢手段が、前記フィルターエレメントの下端と前記ボトム支持プレートとの間に設けられた圧縮コイルばねにより構成されてなる請求項１１記載のろ過装置。
【請求項１３】
前記テーパリングは、その下端に前記フィルターエレメントに沿って下方に延びる下方延設片と、その下方延設片の外周に外方突出状に設けられたばね受片とを有し、
前記押付付勢手段が、前記中間支持プレートと前記テーパリングのばね受片との間に設けられた圧縮コイルばねにより構成されてなる請求項２又は３記載のろ過装置。
【請求項１４】
前記処理液として、圧延用クーラントが用いられる請求項１ないし１３のいずれかに記載のろ過装置。
【請求項１５】
ケーシング内が仕切プレートにより上室及び下室に仕切られるとともに、前記下室に配置されたチューブ状のフィルターエレメントの上端が前記仕切プレートの連通孔に接合され、前記下室に導入された処理液が、前記フィルターエレメントの周壁部を透過してろ過された後、前記フィルターエレメント内及び前記連通孔を通って前記上室に導かれるようになされたろ過装置のフィルターエレメント支持構造であって、
支持孔が設けられた中間支持プレートが、その支持孔内に前記フィルターエレメントの上下方向中間領域を挿通支持した状態で、前記ケーシングに支持されてなることを特徴とするろ過装置のフィルターエレメント支持構造。
【請求項１６】
前記フィルターエレメントの中間領域に、下方に向かうに従って次第に縮径するテーパ状外面を有する拡縮変形自在なテーパリングが外嵌状態に固定され、
前記テーパリングに対応する前記支持孔が、下方に向かうに従って縮径するテーパ状内面を有する皿孔によって構成され、
前記テーパリングが前記支持孔に挿通され、押付付勢手段によって、前記テーパリングが、前記フィルターエレメントの外面と前記支持孔の内面との間に圧入されてなる請求項１５記載のろ過装置のフィルターエレメント支持構造。
【請求項１７】
前記テーパリングは、周方向に分割された複数個の分割片からなり、各分割片間における隙間の間隔が変化することによって、拡縮変形自在に構成されてなる請求項１６記載のろ過装置のフィルターエレメント支持構造。
【請求項１８】
ケーシング内が仕切プレートにより上室及び下室に仕切られるとともに、前記下室に配置されたチューブ状のフィルターエレメントの上端が前記仕切プレートの連通孔に接合され、前記下室に導入された処理液が、前記フィルターエレメントの周壁部を透過してろ過された後、前記フィルターエレメント内及び前記連通孔を通って前記上室に導かれるようになされたろ過装置のフィルターエレメント用中間支持プレートであって、
前記下室内に水平に配置された状態で前記ケーシングに支持されるよう構成されるとともに、
前記フィルターエレメントの上下方向中間領域を挿通支持するための支持孔を有することを特徴とするろ過装置のフィルターエレメント用中間支持プレート。
【請求項１９】
前記フィルターエレメントの中間領域に、下方に向かうに従って次第に縮径するテーパ状外面を有する拡縮変形自在なテーパリングが外嵌状態に固定され、
前記テーパリングに対応する前記支持孔が、下方に向かうに従って縮径するテーパ状内面を有する皿孔によって構成され、
前記テーパリングが前記支持孔に挿通され、押付付勢手段によって、前記テーパリングが、前記フィルターエレメントの外面と前記支持孔の内面との間に圧入されるよう構成されてなる請求項１８記載のろ過装置のフィルターエレメント用中間支持プレート。
【請求項２０】
前記テーパリングは、周方向に分割された複数個の分割片からなり、各分割片間における隙間の間隔が変化することによって、拡縮変形自在に構成されてなる請求項１９記載のろ過装置のフィルターエレメント用中間支持プレート。
【請求項２１】
請求項１ないし１４のいずれかに記載のろ過装置により、処理液をろ過することを特徴とするろ過方法。
【請求項２２】
前記処理液として圧延用クーラントをろ過する請求項２１記載のろ過方法。
【請求項２３】
前記処理液を前記ろ過装置のケーシングの下室内に導入し、次いで、処理液をフィルターエレメントの周壁部を透過させてろ過した後、フィルターエレメント内と仕切プレートの連通孔とを介してケーシングの上室内に導入する請求項２１又は２２記載のろ過方法。